(57)【要約】【課題】本発明の課題は、枚葉紙印刷機の新しい運転方法を提供することである。【解決手段】本発明は、枚葉紙印刷機運転方法、つまり、ストッパの作動後に枚葉紙印刷機から印刷枚葉紙を排出する方法に関するものであり、ストッパの作動後に給紙装置が連結解除され、また印刷装置も印刷停止状態に移行され、また、最後の印刷枚葉紙が排出された後には給紙装置が連結され、また、印刷装置も印刷用状態に移行される。本発明によると、損紙をなるべく少なく抑えて、最後の印刷枚葉紙排出まで及びひいてはストッパ解除までに必要な時間を最小限に抑えるために、枚葉紙印刷機の印刷装置数に応じて、及びストッパの作動前に枚葉紙印刷機内に送り込まれた印刷枚葉紙の枚数に応じて、枚葉紙印刷機の回転数及び印刷装置の印刷停止状態への移行が制御される。【選択図】図２
2009018584.tif 000002
【特許請求の範囲】
【請求項１】
枚葉紙印刷機の運転方法、つまり、ストッパの作動後に枚葉紙印刷機から印刷枚葉紙を排出するための方法であって、その際、ストッパが作動した場合に給紙装置は連結解除され、印刷装置は印刷停止状態に移行し、最後の印刷枚葉紙が排出された後に給紙装置が連結され、印刷装置は印刷状態に移行する方法において、
なるべく少ない損紙で最後の印刷枚葉紙を排出するために、及びこれによりストッパ解除に必要な時間を最小限に抑えるために、枚葉紙の印刷装置の数に応じて、及びストッパの作動前に枚葉紙印刷機内に供給された印刷枚葉紙の枚数に応じて、枚葉紙印刷機の回転数及び印刷装置の印刷停止状態への移行が制御されることを特徴とする方法。
【請求項２】
枚葉紙印刷機の印刷装置の数が多く、且つストッパの作動前に枚葉紙印刷機内に供給された印刷枚葉紙の枚数が少ない場合に、印刷枚葉紙を排出するために、枚葉紙印刷機の回転数が高められ、印刷装置が自然に又はすべてが同時に印刷停止状態に移行されることを特徴とする請求項１に記載の方法。
【請求項３】
すべての印刷枚葉紙が印刷機から排出されるまで、枚葉紙印刷機の回転数が生産回転数にまで高められ、次に枚葉紙印刷機の回転数が基本回転数に低下されることを特徴とする請求項２に記載の方法。
【請求項４】
印刷装置のインキ装置及び湿し装置の作動シーケンスがリセットされることを特徴とする請求項２又は３に記載の方法。
【請求項５】
枚葉紙の印刷装置数が少なく、及び／又はストッパの作動前に枚葉紙印刷機内に送り込まれた印刷枚葉紙の枚数が多い場合に、印刷枚葉紙を排出するために、枚葉紙印刷機の回転数が一定に保たれ、印刷装置が自然にではなく順次制御された状態で印刷停止状態に移行されることを特徴とする請求項１〜４のいずれか一項に記載の方法。
【請求項６】
次に枚葉紙印刷機の回転数が基本回転数にまで低下させられることを特徴とする請求項５に記載の方法。
【請求項７】
給紙装置の連結が、枚葉紙印刷機の基本回転数において行われることを特徴とする請求項１又は６に記載の方法。
【発明の詳細な説明】
【技術分野】
【０００１】
本発明は、請求項１のおいて書きに記載の枚葉紙印刷機運転方法に関する。
【背景技術】
【０００２】
枚葉紙印刷機には、給紙装置と、排紙装置と、給紙装置と排紙装置との間に配置された複数の印刷装置と、場合によってはニス装置とが設けられている。印刷するために印刷枚葉紙が給紙装置から枚葉紙印刷機内に送り込まれ、次々に印刷装置内を運ばれる。印刷工程後、印刷枚葉紙は印刷装置から枚葉紙印刷機の排紙装置に送り出される。カラー数が多いほど、又は枚葉紙印刷機の生産可能性が幅広いほど、給紙装置と排紙装置との間に配置される印刷装置の数は多くなる。
【０００３】
枚葉紙印刷機は、一般に給紙装置領域に、いわゆるミスフィード紙のための監視装置を備えている。本明細書において、ミスフィード紙とは、正しい印刷枚葉紙の特徴のうち少なくとも一つの特徴を具備しない印刷枚葉紙を示している。ミスフィード紙としては、例えば二重又は多重になった枚葉紙、給紙が早すぎた枚葉紙、給紙が遅すぎた枚葉紙や斜行して給紙された枚葉紙が挙げられる。このようなミスフィード紙が存在する場合には、いわゆるストッパが印刷機において作動し、これにより印刷機が停止するか又は少なくとも印刷工程が中断される。その他の原因がストッパを作動させる場合もある。
【０００４】
実用上は、ストッパの作動後において給紙装置の連結が解除され、印刷装置は、最後の印刷枚葉紙が印刷装置を通過した後にシーケンシャルに又は順次印刷停止状態となり、その際枚葉紙印刷機は一定の回転数で運転される。このようにして損紙を最小限に抑えつつ枚葉紙印刷機のストッパを解除することができる。
【０００５】
ストッパが枚葉紙印刷機の動作開始直後に作動し、印刷機の回転数がいわゆる基本回転数に相当する場合は、実践的且つ既知の枚葉紙印刷機運転方法では、最後の印刷枚葉紙が印刷機から排出され枚葉紙印刷機のストッパが解除されるまでに要する時間は許容範囲を超える程度に長くなる場合がある。この問題を解消するために、より短時間でストッパを解除可能な枚葉紙印刷機の新しい運転方法が必要とされる。
【発明の開示】
【発明が解決しようとする課題】
【０００６】
したがって、本発明の課題は、枚葉紙印刷機の新しい運転方法を提供することである。
【課題を解決するための手段】
【０００７】
この課題は、請求項１に記載の方法により解決される。
【０００８】
本発明では、最後の印刷枚葉紙を排出するために必要な損紙を最小限に抑え、それによりストッパ解除までに必要な時間を最小限に抑えるために、枚葉紙印刷機の印刷装置の数に応じて、及び、枚葉紙印刷機のストッパの作動前に供給された印刷枚葉紙の数に応じて、枚葉紙印刷機の回転数及び印刷装置の印刷停止状態への移行を制御する。
【０００９】
本発明は、枚葉紙印刷機の印刷装置の数、及びストッパの作動前に枚葉紙印刷枚葉紙に供給された印刷枚葉紙の数に応じて、ストッパの作動時における印刷枚葉紙を排出することを初めて提案するものである。印刷装置の数、及びストッパの作動前に枚葉紙印刷機に供給された印刷枚葉紙数に応じて、枚葉紙印刷機の回転数及び印刷装置の印刷停止状態への移行が制御される。これにより最後の印刷枚葉紙を排出するための損紙を最小限に抑え、ひいてはストッパ解除までに必要な時間を最小限に抑えることができる。
【００１０】
枚葉紙印刷機の印刷装置数が多く、且つストッパの作動前に枚葉紙印刷機に供給された印刷枚葉紙の枚数が少ない場合には、印刷枚葉紙を排出するために枚葉紙印刷機の回転数が高められ、印刷装置は自然に又はすべてが同時に印刷停止状態に移行することが望ましい。逆に、枚葉紙印刷機の印刷装置数が少なく、及び／又はストッパの作動前に枚葉紙印刷枚葉紙に供給された印刷枚葉紙数が多い場合には、印刷枚葉紙を排出するために枚葉紙印刷機の回転数は一定に保たれ、印刷装置は自然にではなく順次に制御された状態で印刷停止状態に移行することが望ましい。
【発明を実施するための最良の形態】
【００１１】
本発明の好適な実施形態は、従属請求項及び以下の説明から理解することができる。
【００１２】
本発明の実施例は図面を参照して詳述されるが、この実施例に限定される訳ではない。
【００１３】
本発明は、給紙装置と、排紙装置と、給紙装置と排紙装置との間に配置された複数の印刷装置と、場合によってはニス装置とを備えている枚葉紙印刷機の運転方法に関する。
【００１４】
より具体的には、本発明は、例えば二重若しくは多重になった枚葉紙、給紙が早すぎた枚葉紙、給紙が遅すぎた枚葉紙、又は斜行して給紙された枚葉紙が発生することに起因してストッパが作動した後に、枚葉紙印刷機から印刷枚葉紙を排出する方法に関する。
【００１５】
一般にストッパの作動後において枚葉紙印刷機から印刷枚葉紙を排出するためには、給紙装置を連結解除し、印刷装置を印刷停止状態に移行させる。この場合、印刷は自然に停止する訳ではなく、順次制御されて停止される。枚葉紙印刷機は、ストッパ作動時の回転数に相当する回転数で一定に運転される。ストッパ作動の原因となった枚葉紙が排出された後に、給紙装置を再び連結し、その後に印刷装置を印刷状態に移行させる。その際、枚葉紙印刷機が基本回転数で回転している状態で給紙装置は連結されるので、枚葉紙印刷機の運転回転数が基本回転数に移行される必要がある場合がある。
【００１６】
図１は、枚葉紙印刷機の運転は基本回転数ｎＧから開始され、時点１において給紙装置領域で最初の正常給紙枚葉紙が検出され、時点２においてミスフィードされた枚葉紙（ミスフィード紙）が給紙装置領域で検出された場合における、実践的且つ既知の方法を表わす。枚葉紙印刷機は時点２において基本回転数ｎＧに相当する回転数で運転されているので、ミスフィード紙が時点３において枚葉紙印刷機から排出されるまで、枚葉紙印刷機はミスフィード紙を排出するために基本回転数で運転され続ける。時点２と時点３との間では給紙装置が連結解除されているので、新たな印刷枚葉紙が枚葉紙印刷機に供給されることはない。さらに、時点２と時点３との間では印刷装置は自然にではなく、制御された状態で順次印刷停止に移行される。その後に枚葉紙印刷機の運転が新たに開始され、その際に時点１’において正常に給紙された最初の枚葉紙が給紙装置領域で検出され、時点４において正常に給紙された最初の枚葉紙が枚葉紙印刷機の排紙装置に到達する。これに引き続いて、枚葉紙印刷機の回転数が基本回転数ｎＧから生産回転数ｎＰに上昇する。
【００１７】
図１に表わす実践的且つ既知の方法では、給紙装置領域において枚葉紙のミスフィードが発生した際に、及びこのミスフィードに起因するストッパ作動後に印刷枚葉紙を枚葉紙印刷機から排出するためには、時点２と時点３との間に時間ΔＴが必要とされる。印刷装置の数及び場合によってはニス装置の数が多い印刷機の場合、特にストッパ作動時の枚葉紙印刷機の回転数が基本回転数ｎＧに相当する場合には、前記時間は許容範囲を超える程度に長い場合がある。
【００１８】
図２は、例えば給紙装置領域における枚葉紙のミスフィードに起因してストッパが作動した後に枚葉紙印刷機から印刷枚葉紙を排出する、本発明における方法を表わす。本発明においては、ミスフィード紙の排出に必要な時間を最小限に抑え、これにより損紙を最小限度に抑えるために、枚葉紙印刷機の印刷装置の数、及びストッパの作動前に枚葉紙印刷機内に供給された印刷枚葉紙の枚数に基づいて、枚葉紙印刷機の回転数及び印刷装置の印刷停止状態への移行が制御される。
【００１９】
本発明においては、枚葉紙印刷機の印刷装置数が多く、且つストッパの作動前に枚葉紙印刷機に供給された印刷枚葉紙の枚数が少ない場合には、給紙装置が連結解除された状態で印刷枚葉紙を排出するために、枚葉紙印刷機の回転数が上昇し、印刷装置は自然に又はすべてが同時に印刷停止状態に移行される。
【００２０】
図２を参照すると、時点２で枚葉紙がミスフィードされた場合には、枚葉紙印刷機の回転数は生産回転数ｎＰに上昇し、時点３で最後の印刷枚葉紙が枚葉紙印刷機から排出された後に、枚葉紙印刷機の回転数が基本回転数ｎＧに低下する。
【００２１】
その後に、生産工程を新たに再開することができる。この場合には、給紙装置を基礎回転数ｎＧで連結し、時点４で最初の正常給紙枚葉紙が給紙装置領域において検出された場合に、枚葉紙印刷機の回転数が生産回転数ｎＰに上昇する。本発明の方法によって、時点２と時点３との間の時間ΔＴは従来技術に対して著しく短縮可能とされる。
【００２２】
本発明の方法は、特に枚葉紙印刷機の印刷装置数が多く、且つストッパの作動前に枚葉紙印刷機に供給された印刷枚葉紙の枚数が少ない場合に利用される。この条件下では、枚葉紙印刷機の回転数は低く、基本回転数ｎＧと略同一である。
上述のような場合は、特に印刷工程開始時、及び印刷工程開始に関連する作業中に発生する。このような作業は、印刷工程中に頻発する中断に関連している。
【００２３】
これ対して、枚葉紙印刷機の印刷装置の数が少なく、及び／又はストッパの作動前に枚葉紙印刷機に供給された印刷枚葉紙の枚数が多い場合には、印刷枚葉紙を排出するための枚葉紙印刷機の回転数は一定に保たれていることが望ましく、印刷装置は自然にではなく順次制御された状態で印刷停止状態に移行する。枚葉紙印刷機の印刷装置数が少ない場合には、生産回転数を上げても、これにより短縮される時間は極めて小さい。ストッパの作動前に枚葉紙印刷機に供給された印刷枚葉紙の枚数が多い場合には、印刷装置を自然に印刷停止状態に移行させ、印刷機の回転数を上昇させたとしても、損紙が極めて多く発生する。
【００２４】
さらに、特に印刷装置の数が多く、且つストッパの作動前に枚葉紙印刷機に供給された印刷枚葉紙の枚数が少ない場合に印刷枚葉紙を排出するために、枚葉紙印刷機の回転数を生産回転数まで上昇させ、印刷装置を自然に又はすべて同時に印刷停止状態に移行させる際には、印刷装置のユニットの設定を考慮する必要がある。この状態では、印刷装置のインキ装置及び湿し装置の作動シーケンスもさらにリセットされることが望ましい。
【００２５】
１０台の印刷装置を有する枚葉紙印刷機の運転開始において、枚葉紙印刷機の回転数が基本回転数ｎＧに相当する段階においてストッパが作動した場合には、本発明の方法を用いることによって時間ΔＴが３６秒以上短縮され約１２秒になることが研究によって示された。すなわち、時間ΔＴが、従来と比較して１／３に短縮可能であることが示された。
【図面の簡単な説明】
【００２６】
【図１】従来技術における枚葉紙印刷機運転方法を表わすグラフである。
【図２】本発明における枚葉紙印刷機運転方法を表わすグラフである。
【符号の説明】
【００２７】
１  時点
１’  時点
２  時点
３  時点
４  時点
ｎＰ  生産回転数
ｎＧ  基本回転数
ΔＴ  時間
【図１】
2009018584.tif 000003
【図２】
2009018584.tif 000004